(57)【要約】【課題】運転者の飲酒状態を検出し、エンジンの起動をできないように防御しているのみで、別の場所に移動する場合は考慮されていなかった。【解決手段】ユーザ車１０、受付センター２０および代行業者３０より構成されており各々インターネット１００を介して接続され、ユーザ車は運転者が運転席に座ると同時に運転者の呼気からアルコール濃度を検出してアルコール濃度が基準値以上の場合は運転者がエンジンキーによりエンジンをかけても作動しないようにして、エンジン始動回数を予め登録したエンジン始動回数以上回した場合はインターネットを介して受付センターへ運転の代行を依頼し、代行業者を指定してもらい、車を代行運転してもらう。【選択図】      図１
2005004588.tif 000002
【特許請求の範囲】
【請求項１】
インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して受付センターへ自動的に運転の代行を依頼する手段、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記受付センターへ自動的に飲酒運転防止の依頼を発信させる前記予め決められたエンジン始動回数を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時にエンジンキーを回すエンジン始動回数が前記予め決められたエンジン始動回数以上回した場合、前記ユーザ車から前記インターネットを介して前記受付センターへ自動的に運転の代行を依頼し、前記受付センターが予め登録された前記代行業者に代行運転を要請し、前記代行業者は前記代行業者端末を経て受付センターからの運転の代行の要請を受けて、ユーザ車の現在地から代行者を抽出し代行業者通信ネットを介して前記代行者の前記代行者端末へ運転の代行を指示し、前記代行者が運転を代行することを特徴とする飲酒運転防止システム。
【請求項２】
インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して受付センターへ自動的に運転の代行を依頼する手段、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記受付センターへ自動的に飲酒運転防止の依頼を発信させる前記予め決められたエンジン始動回数を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止方法であって、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行することを特徴とする飲酒運転防止方法。
【請求項３】
インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して受付センターへ自動的に運転の代行を依頼する手段、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記受付センターへ自動的に飲酒運転防止の依頼を発信させる前記予め決められたエンジン始動回数を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止処理において、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行する処理をコンピュータに実行させるためのプログラム。
【請求項４】
ユーザ車の現在地の位置情報を付加て受付センターへ送信する時期を、請求項２記載の飲酒運転防止の依頼をする時期でなく、受付センターへ代行運転の依頼に対する代行運転の承諾の返答を送付する時期に送信することを特徴とする請求項２記載の飲酒運転防止方法。
【請求項５】
ユーザ車の現在地の位置情報を付加て受付センターへ送信する時期を、請求項３記載の飲酒運転防止の依頼をする時期でなく、受付センターへ代行運転の依頼に対する代行運転の承諾の返答を送付する時期に送信することを特徴とする請求項３記載のプログラム。
【請求項６】
インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時に、前記ユーザ車から前記インターネットを介して前記受付センターへ自動的に運転の代行を依頼し、前記受付センターが予め登録された前記代行業者に代行運転を要請し、前記代行業者は前記代行業者端末を経て受付センターからの運転の代行の要請を受けて、ユーザ車の現在地から代行者を抽出し代行業者通信ネットを介して前記代行者の前記代行者端末へ運転の代行を指示し、前記代行者が運転を代行することを特徴とする飲酒運転防止システム。
【請求項７】
インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止方法であって、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行することを特徴とする飲酒運転防止方法。
【請求項８】
インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止処理において、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行する処理をコンピュータに実行させるためのプログラム。
【請求項９】
ユーザ車の現在地の位置情報を付加て受付センターへ送信する時期を、請求項７記載の飲酒運転防止の依頼をする時期でなく、受付センターへ代行運転の依頼に対する代行運転の承諾の返答を送付する時期に送信することを特徴とする請求項７記載の飲酒運転防止方法。
【請求項１０】
ユーザ車の現在地の位置情報を付加て受付センターへ送信する時期を、請求項８記載の飲酒運転防止の依頼をする時期でなく、受付センターへ代行運転の依頼に対する代行運転の承諾の返答を送付する時期に送信することを特徴とする請求項８記載のプログラム。
【請求項１１】
インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記代行業者受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して代行業者受付センターへ自動的に運転の代行を依頼する手段、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記代行業者受付センターへ自動的に飲酒運転防止の依頼を発信させる前記予め決められたエンジン始動回数を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時にエンジンキーを回すエンジン始動回数が前記予め決められたエンジン始動回数以上回した場合、前記ユーザ車から前記インターネットを介して前記代行業者受付センターへ自動的に運転の代行を依頼し、前記代行業者受付センターがユーザ車の現在地から代行者を抽出し前記代行業者通信ネットを介して前記代行者の前記代行者端末へ運転の代行を指示し、前記代行者が運転を代行することを特徴とする飲酒運転防止システム。
【請求項１２】
インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記代行業者受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して代行業者受付センターへ自動的に運転の代行を依頼する手段、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記代行業者受付センターへ自動的に飲酒運転防止の依頼を発信させる前記予め決められたエンジン始動回数を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止方法であって、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行することを特徴とする飲酒運転防止方法。
【請求項１３】
インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記代行業者受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して代行業者受付センターへ自動的に運転の代行を依頼する手段、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記代行業者受付センターへ自動的に飲酒運転防止の依頼を発信させる前記予め決められたエンジン始動回数を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止処理において、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行する処理をコンピュータに実行させるためのプログラム。
【請求項１４】
ユーザ車の現在地の位置情報を付加て代行業者受付センターへ送信する時期を、請求項１２記載の飲酒運転防止の依頼をする時期でなく、代行業者受付センターへ代行運転の依頼に対する代行運転の承諾の返答を送付する時期に送信することを特徴とする請求項１２記載の飲酒運転防止方法。
【請求項１５】
ユーザ車の現在地の位置情報を付加て代行業者受付センターへ送信する時期を、請求項１３記載の飲酒運転防止の依頼をする時期でなく、代行業者受付センターへ代行運転の依頼に対する代行運転の承諾の返答を送付する時期に送信することを特徴とする請求項１３記載のプログラム。
【請求項１６】
インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時に、前記ユーザ車から前記インターネットを介して前記代行業者受付センターへ自動的に運転の代行を依頼し、前記代行業者受付センターがユーザ車の現在地から代行者を抽出し前記代行業者通信ネットを介して前記代行者の前記代行者端末へ運転の代行を指示し、前記代行者が運転を代行することを特徴とする飲酒運転防止システム。
【請求項１７】
インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止方法であって、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行することを特徴とする飲酒運転防止方法。
【請求項１８】
インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止処理において、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行する処理をコンピュータに実行させるためのプログラム。
【請求項１９】
ユーザ車の現在地の位置情報を付加て代行業者受付センターへ送信する時期を、請求項７記載の飲酒運転防止の依頼をする時期でなく、代行業者受付センターへ代行運転の依頼に対する代行運転の承諾の返答を送付する時期に送信することを特徴とする請求項１７記載の飲酒運転防止方法。
【請求項２０】
ユーザ車の現在地の位置情報を付加て代行業者受付センターへ送信する時期を、請求項８記載の飲酒運転防止の依頼をする時期でなく、代行業者受付センターへ代行運転の依頼に対する代行運転の承諾の返答を送付する時期に送信することを特徴とする請求項１８記載のプログラム。
【発明の詳細な説明】
【０００１】
【発明の属する技術分野】
本発明は飲酒運転防止システムと飲酒運転防止方法およびプログラムに関し、特に飲酒運転を防止する発明であり、運転者が運転席の濃度を検出し、検出した結果が予め決められた濃度を超えた場合はエンジンをかけてもエンジン始動を防止し、それでも車が必要な場合には予め登録された代行業者に自動的に代行運転を依頼することを特徴とする飲酒運転防止システムと飲酒運転防止方法およびプログラムに関する。
【０００２】
【従来の技術】
最近は飲酒運転による交通事故が後を絶たず、そのための不幸な出来事が日常至るところに発生している。
【０００３】
この対応策の一つとして警察庁は平成１４年６月に運転者の呼気によるアルコール濃度の基準値を従来の０．２５ｍｇ／Ｌから０．１５ｍｇ／Ｌに引き下げたが、どれだけ基準値を下げようとも運転者が隠れて運転したのでは飲酒運転は皆無にならない。
【０００４】
従来の飲酒運転防止システムと飲酒運転防止方法は以下のような公知技術がある。
【０００５】
従来の技術として、特開平６−０５０９１８号公報がある（特許文献１参照。）。
【０００６】
これは、アルコールセンサ作動初期から正確にアルコール濃度の測定を行うもので、検出室の中央に設けられた開閉可能なシャッターにより第一検出室、第二検出室を形成し、アルコール濃度測定時はシャッターを閉じて２室内の雰囲気を隔離し、非測定時はシャッターを開けて２室内の雰囲気を同一にし、ドライバの呼気が流入する第一検出室内に第一センサが、アルコール濃度測定時シャッターにより雰囲気が隔離される第二検出室に第二センサが配置され、そして第一センサのドリフト出力を第二センサのドリフト出力で相殺するようにブリッジ回路を構成する。
【０００７】
また、従来技術として、特開平８−１５０８５３号公報がある（特許文献２参照。）。
【０００８】
運転者限定呼気補集部にアルコールガスの熱伝導度、電気伝導度を基礎とするガス検出センサーを特定しこの出力を半導体素子で増幅し機械的出力に変換させてキースイッチをロックしスターターモーターの始動を不可能にする。
【０００９】
また、従来技術として、特開２０００−３０１９６３号公報がある（特許文献３参照。）。
【００１０】
この事故抑止システムおよび方法の第１の原理によれば、事故抑止システムは、センサ手段、検出手段、および処理手段を備える。センサ手段は、監視対象者の状況情報を入力する。検出手段は、あらかじめ記録された監視対象者の状況情報と入力された状況情報とを比較して、飲酒、操作誤り、心臓麻痺、脳疾患等の異常を検出する。そして、処理手段は、異常が検出されたとき、事故を抑止するため車両の減速等の適切な処理を行い、車両を停止させる。
【００１１】
また、従来技術として、特開２００１−３１２５５４号公報がある（特許文献４参照。）。
【００１２】
これは、顧客が望む、「家事・運転代行・付加サービス付きタクシー」の業者が稀少であり、ましてや、インターネットや携帯端末からの依頼に双方対応できるシステムは皆無である。
【００１３】
この電子家事・運転代行・付加サービス付きタクシー取引システムは、顧客データベースから依頼主の近いサービス提供業者（会員制）へ地理検索システムを導入し、適正に選択した業者が仕事を諾成すれば契約が成立し、顧客先へ移動体の場合はＰＨＳ・ｉモード・モバイルで、固定局の場合はインターネットやＦＡＸで顧客先名・場所等を送信し、契約と同時に電子損害保険にも自動的に加入し、サービス業者の仕事完了の合図により、顧客への電子決算を代行することが、安価で真の競争原理の導入が可能である。また、電子マニフェストの導入により、お互い仕事の依頼・諾成・完了決済も管理票により証明できます。
【００１４】
この電子家事・運転代行・付加サービス付きタクシー取引システムは、現在使用され将来益々成長するＩＴ（インフォメーション・テクノロジー）技術を活用し、顧客とサービス提供業者（固定局・移動局）を仲介する［６］コールセンターが、携帯端末・インターネット・ＦＡＸ・電話・テレビ電話を活用し、顧客［１］の申し出に、サービス提供業者［２］［３］の諾成契約に基づき仲介し、［１］顧客保護のため請負契約と同時に電子損害保険［６］に加入させ、また、指定業者［２］［３］はすべて会員制で法令・守秘義務を遵守させ真摯に仕事に従事させる。そして、仕事終了時には、仲介コールセンター［６］が、電子マニフェストに基づき、顧客［１］の口座から電子決済をし、サービス業者［２］［３］へ支払い業務を行う。
【００１５】
また、従来技術として、特開２００２−７４５９７号公報がある（特許文献５参照。）。
【００１６】
これは、実際の車両の運転走行時の運転状態に基づき、その運転者にあった的確なアドバイスを与えることのできる安全運転支援システムで、運転状態収集手段は、運転操作を表わす操作データと車両挙動を表わす車両データとを受け取り、収集する。運転傾向判断手段は、収集されたこれらのデータを基に分析および判断を行い、不安全事象を抽出する。そして、提示手段は、予め蓄積されたコンテンツデータの中から、当該運転状態における不安全事象に応じたコンテンツ（運転に関するアドバイス情報など）を読み出し、運転者に対して提示する。
【００１７】
【特許文献１】
特開平６−０５０９１８号公報（［要約］）
【特許文献２】
特開平８−１５０８５３号公報（［要約］）
【特許文献３】
特開２０００−３０１９６３号公報（段落［０００９〜００１２］）
【特許文献４】
特開２００１−３１２５５４号公報（［要約］）
【特許文献５】
特開２００２−７４５９７号公報（［要約］）
【００１８】
【発明が解決しようとする課題】
上述した従来の飲酒運転に関するものは、
第１の問題点は、運転者の飲酒状態を検出し（特許文献１，２，３）、単に検出のみ（引用文献１）か、エンジンを減速させ（引用文献３）、車両を停止させ（引用文献３）、エンジンの起動をできないように防御している（引用文献２）のみで、別の場所に移動する場合は考慮されていなかった。
【００１９】
その理由は、運転者の飲酒状態を検出したことによる自動的に代行業者に代行運転を依頼するシステムが構築されてなかったからである。
【００２０】
第２の問題点は、運転代行システムは、利用者が自分の意志で仲介コールセンターに運転代行を依頼する（引用文献４）ことによってしか運転代行は行われないので飲酒運転が行われてしまう。
【００２１】
その理由は、運転者の飲酒状態を検出したことによる利用者の意志に関係なく自動的に代行業者に代行運転を依頼することができないからである。
【００２２】
第３の問題点は、車両の運転走行時の運転状態に基づき、その運転者にあった的確なアドバイスを与え、安全運転支援することしかできなく（引用文献５）飲酒運転次運転代行を依頼することはできなく完全な安全運転支援ではなっかた。
【００２３】
その理由は、飲酒運転を検出し、運転代行を依頼する機能を備えてなかったからである。
【００２４】
最近は飲酒運転による交通事故が後を絶たず、そのための不幸な出来事が日常至るところに発生しており、この対応策の一つとして警察庁は運転者の呼気によるアルコール濃度の基準値を引き下げたが、どれだけ基準値を下げようとも運転者が隠れて運転したのでは飲酒運転は皆無にならなく、
本発明の第１の目的は、時間的な制限がない、いつでもサービスが受けられる飲酒運転防止システム等を提供することにある。
【００２５】
本発明の第２の目的は、人的ミスが発生しない飲酒運転防止システム等を提供することにある。
【００２６】
本発明の第３の目的は、運転者が過度の泥酔状態であっても代行運転を確実に依頼できる飲酒運転防止システム等を提供することにある。
【００２７】
本発明の第４の目的は、運転者が酔い覚め後、別の場所から運転できる飲酒運転防止システム等を提供することにある。
【００２８】
本発明の第５の目的は、運転者のアルコール濃度の検出を、警察による取り締まり時だけの検挙から常時チェックできる飲酒運転防止システム等を提供することにある。
【００２９】
本発明の第６の目的は、飲酒運転を潰滅可能とする飲酒運転防止システム等を提供することにある。
【００３０】
【課題を解決するための手段】
第１の発明の飲酒運転防止システムは、インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して受付センターへ自動的に運転の代行を依頼する手段、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記受付センターへ自動的に飲酒運転防止の依頼を発信させる前記予め決められたエンジン始動回数を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時にエンジンキーを回すエンジン始動回数が前記予め決められたエンジン始動回数以上回した場合、前記ユーザ車から前記インターネットを介して前記受付センターへ自動的に運転の代行を依頼し、前記受付センターが予め登録された前記代行業者に代行運転を要請し、前記代行業者は前記代行業者端末を経て受付センターからの運転の代行の要請を受けて、ユーザ車の現在地から代行者を抽出し代行業者通信ネットを介して前記代行者の前記代行者端末へ運転の代行を指示し、前記代行者が運転を代行する。
【００３１】
また、第２の発明の飲酒運転防止方法は、インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して受付センターへ自動的に運転の代行を依頼する手段、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記受付センターへ自動的に飲酒運転防止の依頼を発信させる前記予め決められたエンジン始動回数を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止方法であって、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行する。
【００３２】
また、第３の発明のプログラムは、インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して受付センターへ自動的に運転の代行を依頼する手段、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記受付センターへ自動的に飲酒運転防止の依頼を発信させる前記予め決められたエンジン始動回数を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止処理において、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行する処理をコンピュータに実行させる。
【００３３】
また、第４の発明の飲酒運転防止方法は、ユーザ車の現在地の位置情報を付加て受付センターへ送信する時期を、第２の発明の飲酒運転防止方法に記載の飲酒運転防止の依頼をする時期でなく、受付センターへ代行運転の依頼に対する代行運転の承諾の返答を送付する時期に送信する第２の発明の飲酒運転防止方法に記載の飲酒運転防止方法。
【００３４】
また、第５の発明のプログラムは、ユーザ車の現在地の位置情報を付加て受付センターへ送信する時期を、第３の発明のプログラムに記載の飲酒運転防止の依頼をする時期でなく、受付センターへ代行運転の依頼に対する代行運転の承諾の返答を送付する時期に送信する第３の発明のプログラムに記載のプログラム。
【００３５】
第６の発明の飲酒運転防止システムは、インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時に、前記ユーザ車から前記インターネットを介して前記受付センターへ自動的に運転の代行を依頼し、前記受付センターが予め登録された前記代行業者に代行運転を要請し、前記代行業者は前記代行業者端末を経て受付センターからの運転の代行の要請を受けて、ユーザ車の現在地から代行者を抽出し代行業者通信ネットを介して前記代行者の前記代行者端末へ運転の代行を指示し、前記代行者が運転を代行する。
【００３６】
また、第７の発明の飲酒運転防止方法は、インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止方法であって、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行する。
【００３７】
また、第８の発明のプログラムは、インターネットを介して接続されたユーザ車、受付センター、および代行業者が運用する代行業者端末を有し、前記代行業者端末は前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記受付センターに対して、ユーザ情報を送信して登録依頼する手段と、前記受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を受付センターへ送信する手段とを有し、
前記受付センターはユーザからの加入登録の依頼、飲酒運転防止の依頼、および代行運転の依頼を受け付けるセンターであり、
前記受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行業者を抽出するのに使用される代行業者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は前記受付センターの前記代行業者ＤＢに登録された運転の代行業者であり、前記受付センターの要請により前記ユーザ車の駐車地点に出かけてユーザの代わりに車を運転する業者であり、
前記代行業者端末は前記代行業者により運用され、前記受付センターからの運転代行の要請を受け、前記代行業者のもとで運転代行として働いている代行者の代行者端末に運転代行の指示を行う端末であり、前記代行者は自己が所持する代行者端末を通し前記代行業者からの前記代行業者端末を経た代行運転の指示により前記ユーザ車の代行運転する者であり、前記代行者端末は前記代行者により所持され、前記代行者と前記代行業者との連絡用に使用され、前記代行業者からの前記代行業者端末を経た前記代行運転の指示を前記代行者に伝える端末であり、
以上、前記インターネットを介して接続された前記ユーザ車、前記受付センター、および前記代行業者が運用する前記代行業者端末を有し、前記代行業者端末は前記ユーザ車の運転を代行する前記代行業者に雇用された前記代行者が所持する前記代行者端末と前記代行業者通信ネットを介して接続された飲酒運転防止システムにおける飲酒運転防止処理において、
前記ユーザ車から前記受付センターへ前記インターネットを介して飲酒運転防止システムへの加入のための登録を依頼し、
前記受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記受付センターへ送付し、
前記受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記受付センターへユーザ情報および前記ユーザ車の現在地の位置情報を付加し、飲酒運転防止の依頼をし、
前記受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記受付センターへ代行運転の依頼に対する代行運転の承諾の返答を送付し、
前記受付センターは代行業者ＤＢを検索し、前記ユーザ車の現在地から代行業者を抽出し、前記インターネットを介して前記代行業者へ前記ユーザ車の現在地の情報を付加して、運転の代行を要請し、前記代行業者は前記代行業者端末を経て受付センターからの運転の代行の要請を受けて、ユーザ車の現在地から代行者を抽出し代行業者通信ネットを介して前記代行者の前記代行者端末へユーザ車の現在地の情報を付加して、運転の代行を指示し、前記代行者は前記ユーザ車の駐車現場に出動し、運転を代行する処理をコンピュータに実行させる。
【００３８】
また、第９の発明の飲酒運転防止方法は、ユーザ車の現在地の位置情報を付加て受付センターへ送信する時期を、第７の発明の飲酒運転防止方法に記載の飲酒運転防止の依頼をする時期でなく、受付センターへ代行運転の依頼に対する代行運転の承諾の返答を送付する時期に送信する第７の発明の飲酒運転防止方法に記載の飲酒運転防止方法。
【００３９】
また、第１０の発明のプログラムは、ユーザ車の現在地の位置情報を付加て受付センターへ送信する時期を、第８の発明のプログラムに記載の飲酒運転防止の依頼をする時期でなく、受付センターへ代行運転の依頼に対する代行運転の承諾の返答を送付する時期に送信する第８の発明のプログラムに記載のプログラム。
【００４０】
第１１の発明の飲酒運転防止システムは、インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記代行業者受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して代行業者受付センターへ自動的に運転の代行を依頼する手段、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記代行業者受付センターへ自動的に飲酒運転防止の依頼を発信させる前記予め決められたエンジン始動回数を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時にエンジンキーを回すエンジン始動回数が前記予め決められたエンジン始動回数以上回した場合、前記ユーザ車から前記インターネットを介して前記代行業者受付センターへ自動的に運転の代行を依頼し、前記代行業者受付センターがユーザ車の現在地から代行者を抽出し前記代行業者通信ネットを介して前記代行者の前記代行者端末へ運転の代行を指示し、前記代行者が運転を代行する。
【００４１】
また、第１２の発明の飲酒運転防止方法は、インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記代行業者受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して代行業者受付センターへ自動的に運転の代行を依頼する手段、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記代行業者受付センターへ自動的に飲酒運転防止の依頼を発信させる前記予め決められたエンジン始動回数を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止方法であって、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行する。
【００４２】
また、第１３の発明のプログラムは、インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記代行業者受付センターから送付される、前記アルコール検出器から送付される運転者のアルコール濃度を受信して前記所定の基準値以上の場合の前記エンジン作動防止器を作動させている状態で運転者がエンジン始動時にエンジンキーを回す予め決められた、エンジン始動回数を記憶する手段と、前記アルコール検出器から送付される運転者のアルコール濃度が前記所定の基準値以上の場合でエンジン作動防止器を作動させている状態で運転者がエンジン始動時にエンジンキーを回す予め決められた前記エンジン始動回数が記憶した前記予め決められたエンジン始動回数以上回した場合はインターネットを介して代行業者受付センターへ自動的に運転の代行を依頼する手段、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段と前記所定の基準値以上の場合の前記エンジン作動防止器を作動させている状態で運転者がエンジン始動時にエンジンキーを回し前記代行業者受付センターへ自動的に飲酒運転防止の依頼を発信させる前記予め決められたエンジン始動回数を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止処理において、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記エンジンキーによりエンジンを始動し、前記エンジンキーを回すエンジン始動回数が前記予め決められたエンジン始動回数より少ない場合は、
前記第１の処理装置は前記エンジン作動防止器を作動させてエンジンの始動を防止し、
運転者が前記エンジンキーによりエンジンを始動し、前記エンジンキーを回すエンジン始動回数が前記予め決められたエンジン始動回数以上の場合は、
前記第１の処理装置はエンジン始動回数を計数し、前記予め決められたエンジン始動回数に達すると前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行する処理をコンピュータに実行させる。
【００４３】
また、第１４の発明の飲酒運転防止方法は、ユーザ車の現在地の位置情報を付加て代行業者受付センターへ送信する時期を、第１２の発明の飲酒運転防止方法に記載の飲酒運転防止の依頼をする時期でなく、代行業者受付センターへ代行運転の依頼に対する代行運転の承諾の返答を送付する時期に送信する第１２の発明の飲酒運転防止方法に記載の飲酒運転防止方法。
【００４４】
また、第１５の発明のプログラムは、ユーザ車の現在地の位置情報を付加て代行業者受付センターへ送信する時期を、第１３の発明のプログラムに記載の飲酒運転防止の依頼をする時期でなく、代行業者受付センターへ代行運転の依頼に対する代行運転の承諾の返答を送付する時期に送信する第１３の発明のプログラムに記載のプログラム。
【００４５】
第１６の発明の飲酒運転防止システムは、インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行業者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
前記ユーザ車で運転者のアルコール濃度を検出し、検出したアルコール濃度が予め登録した前記所定の基準値以上の場合で、エンジン始動を防止し、エンジン始動時に、前記ユーザ車から前記インターネットを介して前記代行業者受付センターへ自動的に運転の代行を依頼し、前記代行業者受付センターがユーザ車の現在地から代行者を抽出し前記代行業者通信ネットを介して前記代行者の前記代行者端末へ運転の代行を指示し、前記代行者が運転を代行する。
【００４６】
また、第１７の発明の飲酒運転防止方法は、インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止方法であって、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行する。
【００４７】
また、第１８の発明のプログラムは、インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続され、
前記ユーザ車は、ユーザ車を起動させるエンジンキーと、運転者の呼気からアルコール濃度を検出するアルコール検出器と、検出されたアルコール濃度が所定の基準値以上の場合はエンジンキーによりエンジンをかけてもエンジンの作動を防止するエンジン作動防止器と、エンジンキーによりエンジンをかけた場合前記エンジン作動防止器を作動させる第１の処理装置とを有し、
前記第１の処理装置はユーザ車の現在地の位置情報を得る手段と、前記代行業者受付センターに対して、ユーザ情報を送信して登録依頼する手段と、前記代行業者受付センターから送付されるアルコール濃度の所定の基準値を記憶する手段と、前記アルコール検出器から送付される運転者のアルコール濃度を受信して記憶された前記所定の基準値以上の場合は前記エンジン作動防止器を作動させる手段と、および前記ユーザ車の現在地の位置情報を得る手段により取得したユーザ車の現在地の位置情報を代行業者受付センターへ送信する手段とを有し、
前記代行業者受付センターはユーザからの加入登録の依頼、飲酒運転防止の依頼、および代行運転の依頼を受け付けるセンターであり、
前記代行業者受付センターは、第２の処理装置と、前記ユーザ車からの加入のための登録依頼を元にユーザ情報が格納され、前記ユーザ車からの飲酒運転防止の依頼を受け付ける際に検索され、ユーザ情報をもとに先に加入登録されたユーザかどうかを判断するのに使用されるユーザＤＢと、および運転の代行者が予め登録され、前記ユーザ車からの代行運転の依頼を受け付ける際に検索され、ユーザ車の現在地から代行者を抽出するのに使用される代行者ＤＢとから構成し、
前記第２の処理装置はサーバ機能を備えた情報処理装置であり、前記ユーザ車からの飲酒運転防止システムへの加入登録の依頼および飲酒運転防止の依頼を受け付けて前記所定の基準値を前記ユーザ車に送付する手段を有し、
前記代行業者は運転の代行業者であり前記代行業者受付センターを運用し、ユーザからの代行運転の依頼を受け、ユーザ車の運転を代行する業者であり、前記代行者は前記代行業者受付センターの前記代行者ＤＢに登録された運転の代行者であり、前記代行業者受付センターの指示により前記ユーザ車の駐車地点に出かけてユーザの代わりに車を運転する者であり、自己が所持する前記代行者端末を通し前記代行業者からの代行運転の指示によりユーザ車の駐車地点に出かけてユーザの代わりに車を運転する者であり、前記代行者端末は前記代行者により所持され、前記代行者と前記代行業者受付センターとの連絡用に使用され、前記代行業者受付センターからの代行運転の指示を前記代行者に伝える端末であり、
以上、前記インターネットを介して接続されたユーザ車と代行業者が運用する代行業者受付センターを有し、前記代行業者受付センターは前記ユーザ車の運転を代行する前記代行業者に雇用された代行者が所持する代行者端末と代行業者通信ネットを介して接続された飲酒運転防止システムにおける飲酒運転防止処理において、
前記ユーザ車から前記代行業者受付センターへ前記インターネットを介して飲酒運転防止システムへの加入のための登録を依頼し、
前記代行業者受付センターは該加入登録の依頼に対して飲酒運転防止システムへの加入登録の依頼内容を前記ユーザ車へ送付し、
前記第１の処理装置は前記所定の基準値と前記予め決められたエンジン始動回数を記憶し、前記ユーザ車はユーザ情報の内容を記載して前記代行業者受付センターへ送付し、
前記代行業者受付センターは送付された内容を前記ユーザＤＢに格納し、ユーザの飲酒運転防止システムへの加入登録を完了し、
運転者は前記ユーザ車に乗り込み運転席に座ると前記アルコール検出器により自動的に運転者の呼気中のアルコール濃度を測定して前記第１の処理装置へ送付し、
前記第１の処理装置は送付された運転者のアルコール濃度と前記所定の基準値を比較し、
比較した結果、
運転者のアルコール濃度が前記所定の基準値より小さい数値の場合は、
前記エンジンキーによりエンジンが作動し、
運転者のアルコール濃度が前記所定の基準値以上の数値の場合は、
前記第１の処理装置は前記エンジン作動防止器を作動させてエンジンの始動を防止し、
運転者が前記エンジンキーによりエンジンを始動した場合前記インターネットを介して前記代行業者受付センターへユーザ情報および前記ユーザ車の現在地の位置情報を付加し、飲酒運転防止の依頼をし、
前記代行業者受付センターは該飲酒運転防止の依頼を受信するとユーザ情報をもとに前記ユーザＤＢを検索し、先に飲酒運転防止システムへの加入登録されたユーザかどうかを判断して登録されていないユーザであれば運転の代行は行わなく、
飲酒運転防止システムへの加入登録されたユーザであれば前記ユーザ車へ代行運転の依頼内容を送付し、
運転者が代行を依頼する場合は前記インターネットを介して前記代行業者受付センターへ代行運転の依頼に対する代行運転の承諾の返答を送付し、
前記代行業者受付センターは代行者ＤＢを検索し、前記ユーザ車の現在地から代行者を抽出し、前記代行業者通信ネットを介して前記代行者端末へユーザ車の現在地の情報を付加して、運転の代行を指示し、前記代行者は前記ユーザ車の駐車現場に出動し、運転を代行する処理をコンピュータに実行させる。
【００４８】
また、第１９の発明の飲酒運転防止方法は、ユーザ車の現在地の位置情報を付加て代行業者受付センターへ送信する時期を、第１７の発明の飲酒運転防止方法に記載の飲酒運転防止の依頼をする時期でなく、代行業者受付センターへ代行運転の依頼に対する代行運転の承諾の返答を送付する時期に送信する第１７の発明の飲酒運転防止方法に記載の飲酒運転防止方法。
【００４９】
また、第２０の発明のプログラムは、ユーザ車の現在地の位置情報を付加て代行業者受付センターへ送信する時期を、第１８の発明のプログラムに記載の飲酒運転防止の依頼をする時期でなく、代行業者受付センターへ代行運転の依頼に対する代行運転の承諾の返答を送付する時期に送信する第１８の発明のプログラムに記載のプログラム。
【００５０】
【発明の実施の形態】
最近は飲酒運転による交通事故が後を絶たず、そのための不幸な出来事が日常至るところに発生している。
【００５１】
この対応策の一つとして警察庁は平成１４年６月に運転者の呼気によるアルコール濃度の基準値を従来の０．２５ｍｇ／Ｌから０．１５ｍｇ／Ｌに引き下げたが、どれだけ基準値を下げようとも運転者が隠れて運転したのでは飲酒運転は皆無にならない。
【００５２】
本発明はこれらの欠陥を根本的に解決するものである。
【００５３】
次に、本発明の第１の実施の形態について図面を参照して説明する。
【００５４】
図１は本発明の飲酒運転防止システムと飲酒運転防止方法およびプログラムの第１の一実施の形態を示す構成図である。
【００５５】
図１を参照すると、本発明は図１に示す通りユーザ車１０、受付センター２０、代行業者３０が運用する代行業者端末３１が各々インターネット１００を介して接続され、さらに代行業者端末３１はユーザ車の運転を代行する代行業者３０に雇用された代行者３００が所持する代行者端末３０１と代行業者通信ネット４００（この代行業者通信ネット４００はインターネット１００や移動通信電話網でもよくあるいは代行業者３０が独自に用意した無線網やその他の専用通信ネットでもよい）を介して接続されている。
【００５６】
ユーザ車１０は飲酒時にはアルコール濃度の度合いにより車のエンジンが始動しない機能を保有するユーザの車である。
【００５７】
図２は本発明の飲酒運転防止システムと飲酒運転防止方法およびプログラムの一実施の形態のユーザ車の構成を示す構成図である。
【００５８】
図２の詳細の構成で示す通りユーザ車１０は処理装置１０１、アルコール検出器１０２、エンジン作動防止器１０３、およびエンジンキー１０４より構成されている。
【００５９】
処理装置１０１はＧＰＳによる位置情報を抽出する機能または移動無線基地局からの位置情報を得る機能を保有したカーナビや携帯端末等の情報処理装置であり、受付センター２０に対してインターネット１００を介して、飲酒運転防止システムへの加入のためのユーザの氏名、住所、ＴＥＬ、メールアドレス、車のナンバー、および費用の決済方法からなるユーザ情報を送信して登録する依頼や、その他受付センター２０とやりとりするＷｅｂ機能が備えられている。
【００６０】
更に処理装置１０１は受付センター２０から送付される法律で決められたアルコール濃度の基準値αを記憶する機能とアルコール検出器１０２から送付される運転者のアルコール濃度Ｈを受信して前記法律で決められたアルコール濃度の基準値α以上の場合はエンジン作動防止器１０３を作動させる機能を有する。
【００６１】
更に処理装置１０１は受付センター２０から送付されるアルコール検出器１０２から送付される運転者のアルコール濃度Ｈを受信して前記法律で決められたアルコール濃度の基準値α以上の場合のエンジン作動防止器１０３を作動させている状態で運転者がエンジン始動時にエンジンキー１０４を回すエンジン始動回数βを記憶する機能とアルコール検出器１０２から送付される運転者のアルコール濃度Ｈを受信して前記法律で決められたアルコール濃度の基準値α以上の場合のエンジン作動防止器１０３を作動させている状態で運転者がエンジン始動時にエンジンキー１０４を回すエンジン始動回数が記憶したエンジン始動回数β回以上回した場合はインターネット１００を介してユーザ車１０の現在地の東経Ｘおよび北緯Ｙの位置情報を付加して受付センター２０へ自動的に運転の代行を依頼する機能を有する。
【００６２】
アルコール検出器１０２は運転席の近傍に設置されており、運転者が運転席に座ると同時に運転者の呼気からアルコール濃度Ｈを自動的に検出して処理装置１０１へ送付する機能を有する。
【００６３】
エンジン作動防止器１０３は運転者のアルコール濃度Ｈが法律で決められたアルコール濃度の基準値α以上の場合は処理装置１０１の指示により運転者がエンジンキー１０４によりエンジンをかけてもエンジンの作動を防止する機能を保有する。
【００６４】
エンジンキー１０４はユーザ車１０に合致したユーザ車固有のエンジンキーであり、運転者のアルコール濃度Ｈが法律で決められたアルコール濃度の基準値αより小さい数値の場合は本エンジンキー１０４を回すことによりエンジンが始動する。また、運転者のアルコール濃度Ｈが法律で決められたアルコール濃度の基準値α以上の場合は本エンジンキー１０４を回すことによりエンジンが始動しないようになる。
【００６５】
受付センター２０はユーザからの飲酒運転防止システムへの加入登録の依頼、飲酒運転防止の依頼、および代行運転の依頼を受け付け、代行業者３０に代行運転の要請をするセンターである。
【００６６】
図３は本発明の飲酒運転防止システムと飲酒運転防止方法およびプログラムの第１の一実施の形態の受付センターの構成を示す構成図である。
【００６７】
図３に示す通り受付センター２０は処理装置２０１、ユーザＤＢ２０２および代行業者ＤＢ２０３より構成されている。
【００６８】
処理装置２０１はサーバ等の機能を備えた情報処理装置であり、ユーザ車１０からの飲酒運転防止システムへの加入登録の依頼および飲酒運転防止の依頼を受け付けて法律で決められたアルコール濃度の基準値αをユーザ車１０に送付する機能を有する。
【００６９】
なお、法律で決められたアルコール濃度の基準値αは法改正によって値が変更する都度、警察庁からの情報を受信して処理装置２０１により自動的に変更する機能を有する。
【００７０】
さらに処理装置２０１はユーザ車からの飲酒運転防止システムへの加入登録の依頼および飲酒運転防止の依頼を受け付けて前記法律で決められたアルコール濃度の基準値α以上の場合のエンジン作動防止器１０３を作動させている状態で運転者がエンジン始動時にエンジンキー１０４を回し受付センター２０へ自動的に飲酒運転防止の依頼を発信させるエンジン始動回数βをユーザ車１０に送付する機能を有する。
【００７１】
ユーザＤＢ２０２はユーザ車１０からの飲酒運転防止システムへの加入のための登録依頼を元にユーザの氏名、住所、ＴＥＬ、メールアドレス、車のナンバー、および費用の決済方法からなるユーザ情報が格納されたデータベースであり、ユーザ車１０からの飲酒運転防止の依頼を受け付ける際に検索され、ユーザ情報をもとに先に飲酒運転防止システムへの加入登録されたユーザかどうかを判断するのに使用される。
【００７２】
代行業者ＤＢ２０３は運転の代行業者３０が予め登録されたデーダベースであり、ユーザ車１０からの代行運転の依頼を受け付ける際に検索され、ユーザ車１０の現在地から最適な代行業者３０を抽出するのに使用される。
【００７３】
代行業者３０は受付センター２０の代行業者ＤＢ２０３に登録された運転の代行業者であり、受付センター２０の要請によりユーザ車１０の駐車地点に出かけてユーザの代わりに車を運転する業者である。
【００７４】
代行業者端末３１は代行業者３０により運用され、受付センター２０からの運転代行の要請を受け、代行業者３０のもとで運転代行として働いている代行者３００の代行者端末３０１に運転代行の手配および指示を行う端末である。
【００７５】
代行者３００は自己が所持する代行者端末３０１を通し代行業者３０からの代行業者端末３１を経た代行運転の指示により実際にユーザ車１０の駐車地点に出かけてユーザの代わりに車を運転する者である。
【００７６】
代行者端末３０１は代行者３００により所持され、代行者３００と代行業者３との連絡用に使用され、代行業者３０からの代行業者端末３１を経た代行運転の指示を代行者３００に伝える端末である。
【００７７】
次に、本発明の第１の実施の形態の動作について、図１、図２、図３、図４、表１、表２、および表３を参照して詳細に説明する。
【００７８】
図４は本発明の飲酒運転防止システムと飲酒運転防止方法およびプログラムの第１の一実施の形態の動作を示す流れ図である。
【００７９】
まず、ユーザはユーザ車１０から受付センター２０へインターネット１００を介して飲酒運転防止システムへの加入のための登録を依頼する（ステップＡ１）。
【００８０】
受付センター２０は該加入登録の依頼に対して表１の形式の飲酒運転防止システムへの加入登録の依頼内容をユーザ車１０へ送付する（ステップＡ２）。
【００８１】
【表１】
2005004588.tif 000003
【００８２】
ユーザ車１０は受付センター２０より送付された表１に示すような加入登録の依頼内容を受信することにより、ユーザ車１０の処理装置１０１は法律で決められたアルコール濃度の基準値α（基準値α以上の数値はエンジン作動防止器１０３を作動させエンジンキー１０４を回してもエンジンが始動しなくなる数値）（表１の▲３▼参照）とエンジン始動回数β（エンジン始動回数β以上のエンジン始動回数はアルコール検出器１０２から送付される運転者のアルコール濃度Ｈを受信して前記法律で決められたアルコール濃度の基準値α以上の場合のエンジン作動防止器１０３を作動させている状態で運転者がエンジン始動時にエンジンキー１０４を回すエンジン始動回数でインターネット１００を介して受付センター２０へ自動的に運転の代行を依頼するエンジン始動回数）（表１の▲２▼参照）を記憶する（ステップＡ３）。
【００８３】
ユーザ車１０は表１のような氏名、住所、ＴＥＬ、メールアドレス、車のナンバー、および費用の決済方法からなるユーザ情報（表１の▲１▼参照）の内容を記載して受付センター２０へ送付する（ステップＡ４）。
【００８４】
受付センター２０は送付された内容をユーザＤＢ２０２に格納し、ユーザの飲酒運転防止システムへの加入登録を完了する（ステップＡ５）。
【００８５】
次に実際に運転するケースについて記載する。
【００８６】
運転者はユーザ車１０に乗り込み運転席に座るとアルコール検出器１０２により自動的に運転者の呼気中のアルコール濃度Ｈを測定してユーザ車１０の処理装置１０１へ送付する（ステップＡ６）。
【００８７】
ユーザ車１０の処理装置１０１は送付された運転者のアルコール濃度Ｈと上記で記憶した法律で決められたアルコール濃度の基準値αを比較する（ステップＡ７）。
【００８８】
比較した結果によって次の通り動作する。
【００８９】
１）運転者のアルコール濃度Ｈが法律で決められたアルコール濃度の基準値αより小さい数値の場合、
この場合は運転者は正常状態にあり運転者はユーザ車１０のエンジンキー１０４によりエンジンが作動して（ステップＡ８）本発明は終了する（ステップＡ９）。
【００９０】
２）運転者のアルコール濃度Ｈが法律で決められたアルコール濃度の基準値α以上の数値の場合、
次のケースによりそれぞれ動作する。
【００９１】
▲１▼  運転者がエンジンキー１０４によりエンジンを始動し、エンジンキー１０４を回すエンジン始動回数がβ回より少ない場合（例えば１回  ＝  エンジン始動回数  ＜  β回）
この場合は処理装置１０１はエンジン作動防止器１０３を作動させてエンジンの始動を防止して（ステップＡ１０）、本発明は終了する（ステップＡ９）。
【００９２】
▲２▼  運転者がエンジンキー１０４によりエンジンを始動し、エンジンキー１０４を回すエンジン始動回数がβ回以上の場合（例えばエンジン始動回数  ≧  β回）
処理装置１０１はエンジン始動回数を計数し、上記の通り記憶したβ回に達すると直ちにインターネット１００を介して受付センター２０へ飲酒運転防止の依頼を自動的に依頼する（ステップＡ１１）。
【００９３】
このとき受付センター２０へ送信される内容は表２の形式の飲酒運転防止の依頼内容のものである。表２の内容は先にユーザが受付センター２０に加入登録の依頼に使用した表１の形式の飲酒運転防止システムへの加入登録の依頼内容に車の現在地をＧＰＳ機能により検出した現在地の東経Ｘおよび北緯Ｙの位置情報が付加された内容のものである（ここで車の現在地をこの時点の自動的に飲酒運転防止の依頼する時点で付加して送信するか、後に記載する代行運転の依頼時に付加して送信する２つの方法があり、どちらの方法によってもよい）。
【００９４】
【表２】
2005004588.tif 000004
【００９５】
受付センター２０は該飲酒運転防止の依頼を受信すると表２の▲１▼で示されるユーザの氏名、住所、ＴＥＬ、メールアドレス、車のナンバー、および費用の決済方法からなるユーザ情報をもとにユーザＤＢ２０２を検索し、先に飲酒運転防止システムへの加入登録されたユーザかどうかを判断して登録されていないユーザ（ステップ  ユーザ判断（登録）Ｎｏ）であれば運転の代行はしないで本発明は終了する。
【００９６】
飲酒運転防止システムへの加入登録されたユーザであれば（ステップ  ユーザ判断（登録）Ｙｅｓ）（表１の▲１▼参照）ユーザ車１０へ，
“貴方の車の代行運転を依頼しますか？”
というメッセージが記載された表３の形式の代行運転の依頼内容を送付する（ステップＡ１２）。
【００９７】
【表３】
2005004588.tif 000005
【００９８】
運転者が代行を依頼する場合は表３の  “ＹＥＳ”  をクリックすると、ユーザ車の現在地の位置情報を付加て受付センター２０へ送信する時期を、飲酒運転防止の依頼をする時期でなく、受付センター２０へ代行運転の依頼に対する代行運転の承諾の返答を送付する時期に送信する場合は、処理装置１０１はインターネット１００を介してＧＰＳ機能によるユーザ車１０の現在地の東経Ｘおよび北緯Ｙの位置情報を付加して受付センター２０へ代行運転の依頼に対する代行運転の承諾の返答を送付する（ステップＡ１３）。
【００９９】
受付センター２０は代行業者ＤＢ２０３を検索し、ユーザ車１０の現在地から最適な代行業者３０を抽出し（ステップＡ１４）、インターネット１００を介して代行業者３０の代行業者端末３１へユーザ車１０の現在地の情報を付加して、運転の代行を要請する（ステップＡ１５）。
【０１００】
代行業者３０は代行業者端末３１を経て受付センター２０からの運転の代行の要請を受けて、ユーザ車１０の現在地から最適な代行者３００を抽出し（ステップＡ１６）、代行業者通信ネット４００を介して代行者３００の代行者端末３０１へユーザ車１０の現在地の情報を付加して、運転の代行を指示する（ステップＡ１７）。
【０１０１】
代行者３００は出動しユーザ車１０の駐車現場に急行し、運転を代行して本発明は終了する（ステップＡ９）。
【０１０２】
次に運転者が代行を依頼しない場合で、表３の  “ＮＯ”  をクリックした場合はユーザ車１０は誰も運転しないで本発明は終了する（ステップＡ９）。
【０１０３】
以上の第１の実施の形態の他に、第２の実施の形態として、第１の実施の形態における運転の代行を依頼する条件を法律で決められたアルコール濃度の基準値αのみで判断し、アルコール検出器１０２から送付される運転者のアルコール濃度Ｈを受信して前記法律で決められたアルコール濃度の基準値α以上の場合はエンジン作動防止器１０３を作動させ、本アルコール濃度の基準値α以上の場合の状態で、運転者がエンジンキー１０４を回した場合、直ちに、自動的に運転の代行を依頼する構成とすることもできる。
【０１０４】
この場合は処理装置１０１はエンジンキー１０４を回すエンジン始動回数に関係なく、図４の▲２▼の運転者がエンジンキー１０４によりエンジンを始動し、エンジンキー１０４を回すエンジン始動回数がβ回以上の場合（例えばエンジン始動回数  ≧  β回）の処理の流れを実行することなしに、直ちにインターネット１００を介して受付センター２０へ飲酒運転防止の依頼を自動的に依頼する（ステップＡ１１）。
【０１０５】
このとき受付センター２０へ送信される内容は表２の形式の飲酒運転防止の依頼内容のものである。表２の内容は先にユーザが受付センター２０に加入登録の依頼に使用した表１の形式の飲酒運転防止システムへの加入登録の依頼内容に車の現在地をＧＰＳ機能により検出した現在地の東経Ｘおよび北緯Ｙの位置情報が付加された内容のものである（ここで車の現在地をこの時点の自動的に飲酒運転防止の依頼する時点で付加して送信するか、後に記載する代行運転の依頼時に付加して送信する２つの方法があり、どちらの方法によってもよい）。
【０１０６】
受付センター２０は該飲酒運転防止の依頼を受信すると表２の▲１▼で示されるユーザの氏名、住所、ＴＥＬ、メールアドレス、車のナンバー、および費用の決済方法からなるユーザ情報をもとにユーザＤＢ２０２を検索し、先に飲酒運転防止システムへの加入登録されたユーザかどうかを判断して登録されていないユーザ（ステップ  ユーザ判断（登録）Ｎｏ）であれば運転の代行はしないで本発明は終了する。
【０１０７】
飲酒運転防止システムへの加入登録されたユーザであれば（ステップ  ユーザ判断（登録）Ｙｅｓ）（表１の▲１▼参照）ユーザ車１０へ，
“貴方の車の代行運転を依頼しますか？”
というメッセージが記載された表３の形式の代行運転の依頼内容を送付する（ステップＡ１２）。
【０１０８】
運転者が代行を依頼する場合は表３の  “ＹＥＳ”  をクリックすると、ユーザ車の現在地の位置情報を付加て受付センター２０へ送信する時期を、飲酒運転防止の依頼をする時期でなく、受付センター２０へ代行運転の依頼に対する代行運転の承諾の返答を送付する時期に送信する場合は、処理装置１０１はインターネット１００を介してＧＰＳ機能によるユーザ車１０の現在地の東経Ｘおよび北緯Ｙの位置情報を付加して受付センター２０へ代行運転の依頼に対する代行運転の承諾の返答を送付する（ステップＡ１３）。
【０１０９】
受付センター２０は代行業者ＤＢ２０３を検索し、ユーザ車１０の現在地から最適な代行業者３０を抽出し（ステップＡ１４）、インターネット１００を介して代行業者３０の代行業者端末３１へユーザ車１０の現在地の情報を付加して、運転の代行を要請する（ステップＡ１５）。
【０１１０】
代行業者３０は代行業者端末３１を経て受付センター２０からの運転の代行の要請を受けて、ユーザ車１０の現在地から最適な代行者３００を抽出し（ステップＡ１６）、代行業者通信ネット４００を介して代行者３００の代行者端末３０１へユーザ車１０の現在地の情報を付加して、運転の代行を指示する（ステップＡ１７）。
【０１１１】
代行者３００は出動しユーザ車１０の駐車現場に急行し、運転を代行して本発明は終了する（ステップＡ９）。
【０１１２】
次に運転者が代行を依頼しない場合で、表３の  “ＮＯ”  をクリックした場合はユーザ車１０は誰も運転しないで本発明は終了する（ステップＡ９）。
【０１１３】
また、第３の実施の形態として、第１の実施の形態のにおける、ユーザからの飲酒運転防止システムへの加入登録の依頼、飲酒運転防止の依頼、および代行運転の依頼を受け付けるセンターである受付センター２０を設ける代わりに、代行業者３０は自己所有の専用の代行業者受付センターとして、受付センター２０の処理装置２０１、ユーザＤＢ２０２および代行業者ＤＢ２０３と同等の機能を配備し、第１の実施の形態のにおけるユーザ車１０、受付センター２０、および代行業者３０で構成し、各々インターネット１００を介して接続した飲酒運転防止システムの代わりに、第３の実施の形態として、ユーザ車１０と代行業者３０が運用する代行業者受付センター２００がインターネット１００を介して接続され、さらに代行業者受付センター２００はユーザ車の運転を代行する代行業者３０に雇用された代行者３００が所持する代行者端末３０１と代行業者通信ネット４００を介して接続された飲酒運転防止システムを組むことにより飲酒運転防止システムと飲酒運転防止方法およびプログラムが構成できる。
【０１１４】
次に、本発明の第３の実施の形態について図面を参照して説明する。
【０１１５】
図５は本発明の飲酒運転防止システムと飲酒運転防止方法およびプログラムの第３の一実施の形態を示す構成図である。
【０１１６】
図５を参照すると、本発明は図５に示す通りユーザ車１０と代行業者３０が運用する代行業者受付センター２００がインターネット１００を介して接続され、さらに代行業者受付センター２００はユーザ車の運転を代行する代行業者３０に雇用された代行者３００が所持する代行者端末３０１と代行業者通信ネット４００（この代行業者通信ネット４００はインターネット１００や移動通信電話網でもよくあるいは代行業者３０が独自に用意した無線網やその他の専用通信ネットでもよい）を介して接続されている。
【０１１７】
ユーザ車１０は飲酒時にはアルコール濃度の度合いにより車のエンジンが始動しない機能を保有するユーザの車である。
【０１１８】
図２の詳細の構成で示す通りユーザ車１０は処理装置１０１、アルコール検出器１０２、エンジン作動防止器１０３、およびエンジンキー１０４より構成されている。
【０１１９】
処理装置１０１はＧＰＳによる位置情報を抽出する機能または移動無線基地局からの位置情報を得る機能を保有したカーナビや携帯端末等の情報処理装置であり、代行業者受付センター２００に対してインターネット１００を介して、飲酒運転防止システムへの加入のためのユーザの氏名、住所、ＴＥＬ、メールアドレス、車のナンバー、および費用の決済方法からなるユーザ情報を送信して登録する依頼や、その他代行業者受付センター２００とやりとりするＷｅｂ機能が備えられている。
【０１２０】
更に処理装置１０１は代行業者受付センター２００から送付される法律で決められたアルコール濃度の基準値αを記憶する機能とアルコール検出器１０２から送付される運転者のアルコール濃度Ｈを受信して前記法律で決められたアルコール濃度の基準値α以上の場合はエンジン作動防止器１０３を作動させる機能を有する。
【０１２１】
更に処理装置１０１は代行業者受付センター２００から送付されるアルコール検出器１０２から送付される運転者のアルコール濃度Ｈを受信して前記法律で決められたアルコール濃度の基準値α以上の場合のエンジン作動防止器１０３を作動させている状態で運転者がエンジン始動時にエンジンキー１０４を回すエンジン始動回数βを記憶する機能とアルコール検出器１０２から送付される運転者のアルコール濃度Ｈを受信して前記法律で決められたアルコール濃度の基準値α以上の場合のエンジン作動防止器１０３を作動させている状態で運転者がエンジン始動時にエンジンキー１０４を回すエンジン始動回数が記憶したエンジン始動回数β回以上回した場合はインターネット１００を介してユーザ車１０の現在地の東経Ｘおよび北緯Ｙの位置情報を付加して代行業者受付センター２００へ自動的に運転の代行を依頼する機能を有する。
【０１２２】
アルコール検出器１０２は運転席の近傍に設置されており、運転者が運転席に座ると同時に運転者の呼気からアルコール濃度Ｈを自動的に検出して処理装置１０１へ送付する機能を有する。
【０１２３】
エンジン作動防止器１０３は運転者のアルコール濃度Ｈが法律で決められたアルコール濃度の基準値α以上の場合は処理装置１０１の指示により運転者がエンジンキー１０４によりエンジンをかけてもエンジンの作動を防止する機能を保有する。
【０１２４】
エンジンキー１０４はユーザ車１０に合致したユーザ車固有のエンジンキーであり、運転者のアルコール濃度Ｈが法律で決められたアルコール濃度の基準値αより小さい数値の場合は本エンジンキー１０４を回すことによりエンジンが始動する。また、運転者のアルコール濃度Ｈが法律で決められたアルコール濃度の基準値α以上の場合は本エンジンキー１０４を回すことによりエンジンが始動しないようになる。
【０１２５】
代行業者受付センター２００はユーザからの飲酒運転防止システムへの加入登録の依頼、飲酒運転防止の依頼、および代行運転の依頼を受け付け、代行者３００に代行運転を指示する代行業者３０所有の専用のセンターである。
【０１２６】
図６は本発明の飲酒運転防止システムと飲酒運転防止方法およびプログラムの第３の一実施の形態の代行業者受付センターの構成を示す構成図である。
【０１２７】
図６に示す通り代行業者受付センター２００は処理装置２００１、ユーザＤＢ２００２および代行者ＤＢ２００３より構成されている。
【０１２８】
処理装置２００１はサーバ等の機能を備えた情報処理装置であり、ユーザ車１０からの飲酒運転防止システムへの加入登録の依頼および飲酒運転防止の依頼を受け付けて法律で決められたアルコール濃度の基準値αをユーザ車１０に送付する機能を有する。
【０１２９】
なお、法律で決められたアルコール濃度の基準値αは法改正によって値が変更する都度、警察庁からの情報を受信して処理装置２００１により自動的に変更する機能を有する。
【０１３０】
さらに処理装置２００１はユーザ車からの飲酒運転防止システムへの加入登録の依頼および飲酒運転防止の依頼を受け付けて前記法律で決められたアルコール濃度の基準値α以上の場合のエンジン作動防止器１０３を作動させている状態で運転者がエンジン始動時にエンジンキー１０４を回し代行業者受付センター２００へ自動的に飲酒運転防止の依頼を発信させるエンジン始動回数βをユーザ車１０に送付する機能を有する。
【０１３１】
ユーザＤＢ２００２はユーザ車１０からの飲酒運転防止システムへの加入のための登録依頼を元にユーザの氏名、住所、ＴＥＬ、メールアドレス、車のナンバー、および費用の決済方法からなるユーザ情報が格納されたデータベースであり、ユーザ車１０からの飲酒運転防止の依頼を受け付ける際に検索され、ユーザ情報をもとに先に飲酒運転防止システムへの加入登録されたユーザかどうかを判断するのに使用される。
【０１３２】
代行者ＤＢ２００３は運転の代行者３００が予め登録されたデーダベースであり、ユーザ車１０からの代行運転の依頼を受け付ける際に検索され、ユーザ車１０の現在地から最適な代行者３００を抽出するのに使用される。
【０１３３】
代行業者３０は運転の代行業者であり代行業者受付センター２００を運用し、ユーザからの代行運転の依頼を受け、ユーザ車の運転を代行する業者である。
【０１３４】
代行者３００は代行業者受付センター２００の代行者ＤＢ２００３に登録された運転の代行者であり、代行業者受付センター２００の指示によりユーザ車１０の駐車地点に出かけてユーザの代わりに車を運転する者である。
【０１３５】
代行者３００は自己が所持する代行者端末３０１を通し代行業者３０からの代行運転の指示により実際にユーザ車１０の駐車地点に出かけてユーザの代わりに車を運転する者である。
【０１３６】
代行者端末３０１は代行者３００により所持され、代行者３００と代行業者受付センター２００との連絡用に使用され、代行業者受付センター２００からの代行運転の指示を代行者３００に伝える端末である。
【０１３７】
次に、本発明の第３の実施の形態の動作について、図２、図５、図６、図７、表１、表２、および表３を参照して詳細に説明する。
【０１３８】
図７は本発明の飲酒運転防止システムと飲酒運転防止方法およびプログラムの第３の一実施の形態の動作を示す流れ図である。
【０１３９】
まず、ユーザはユーザ車１０から代行業者受付センター２００へインターネット１００を介して飲酒運転防止システムへの加入のための登録を依頼する（ステップＢ１）。
【０１４０】
代行業者受付センター２００は該加入登録の依頼に対して表１の形式の飲酒運転防止システムへの加入登録の依頼内容をユーザ車１０へ送付する（ステップＢ２）。
【０１４１】
ユーザ車１０は代行業者受付センター２００より送付された表１に示すような加入登録の依頼内容を受信することにより、ユーザ車１０の処理装置１０１は法律で決められたアルコール濃度の基準値α（基準値α以上の数値はエンジン作動防止器１０３を作動させエンジンキー１０４を回してもエンジンが始動しなくなる数値）（表１の▲３▼参照）とエンジン始動回数β（エンジン始動回数β以上のエンジン始動回数はアルコール検出器１０２から送付される運転者のアルコール濃度Ｈを受信して前記法律で決められたアルコール濃度の基準値α以上の場合のエンジン作動防止器１０３を作動させている状態で運転者がエンジン始動時にエンジンキー１０４を回すエンジン始動回数でインターネット１００を介して代行業者受付センター２００へ自動的に運転の代行を依頼するエンジン始動回数）（表１の▲２▼参照）を記憶する（ステップＢ３）。
【０１４２】
ユーザ車１０は表１のような氏名、住所、ＴＥＬ、メールアドレス、車のナンバー、および費用の決済方法からなるユーザ情報（表１の▲１▼参照）の内容を記載して代行業者受付センター２００へ送付する（ステップＢ４）。
【０１４３】
代行業者受付センター２００は送付された内容をユーザＤＢ２００２に格納し、ユーザの飲酒運転防止システムへの加入登録を完了する（ステップＢ５）。
【０１４４】
次に実際に運転するケースについて記載する。
【０１４５】
運転者はユーザ車１０に乗り込み運転席に座るとアルコール検出器１０２により自動的に運転者の呼気中のアルコール濃度Ｈを測定してユーザ車１０の処理装置１０１へ送付する（ステップＢ６）。
【０１４６】
ユーザ車１０の処理装置１０１は送付された運転者のアルコール濃度Ｈと上記で記憶した法律で決められたアルコール濃度の基準値αを比較する（ステップＢ７）。
【０１４７】
比較した結果によって次の通り動作する。
【０１４８】
１）運転者のアルコール濃度Ｈが法律で決められたアルコール濃度の基準値αより小さい数値の場合、
この場合は運転者は正常状態にあり運転者はユーザ車１０のエンジンキー１０４によりエンジンが作動して（ステップＢ８）本発明は終了する（ステップＢ９）。
【０１４９】
２）運転者のアルコール濃度Ｈが法律で決められたアルコール濃度の基準値α以上の数値の場合、
次のケースによりそれぞれ動作する。
【０１５０】
▲１▼  運転者がエンジンキー１０４によりエンジンを始動し、エンジンキー１０４を回すエンジン始動回数がβ回より少ない場合（例えば１回  ＝  エンジン始動回数  ＜  β回）
この場合は処理装置１０１はエンジン作動防止器１０３を作動させてエンジンの始動を防止して（ステップＢ１０）、本発明は終了する（ステップＢ９）。
【０１５１】
▲２▼  運転者がエンジンキー１０４によりエンジンを始動し、エンジンキー１０４を回すエンジン始動回数がβ回以上の場合（例えばエンジン始動回数  ≧  β回）
処理装置１０１はエンジン始動回数を計数し、上記の通り記憶したβ回に達すると直ちにインターネット１００を介して代行業者受付センター２００へ飲酒運転防止の依頼を自動的に依頼する（ステップＢ１１）。
【０１５２】
このとき代行業者受付センター２００へ送信される内容は表２の形式の飲酒運転防止の依頼内容のものである。表２の内容は先にユーザが代行業者受付センター２００に加入登録の依頼に使用した表１の形式の飲酒運転防止システムへの加入登録の依頼内容に車の現在地をＧＰＳ機能により検出した現在地の東経Ｘおよび北緯Ｙの位置情報が付加された内容のものである（ここで車の現在地をこの時点の自動的に飲酒運転防止の依頼する時点で付加して送信するか、後に記載する代行運転の依頼時に付加して送信する２つの方法があり、どちらの方法によってもよい）。
【０１５３】
代行業者受付センター２００は該飲酒運転防止の依頼を受信すると表２の▲１▼で示されるユーザの氏名、住所、ＴＥＬ、メールアドレス、車のナンバー、および費用の決済方法からなるユーザ情報をもとにユーザＤＢ２００２を検索し、先に飲酒運転防止システムへの加入登録されたユーザかどうかを判断して登録されていないユーザ（ステップ  ユーザ判断（登録）Ｎｏ）であれば運転の代行はしないで本発明は終了する。
【０１５４】
飲酒運転防止システムへの加入登録されたユーザであれば（ステップ  ユーザ判断（登録）Ｙｅｓ）（表１の▲１▼参照）ユーザ車１０へ，
“貴方の車の代行運転を依頼しますか？”
というメッセージが記載された表３の形式の代行運転の依頼内容を送付する（ステップＢ１２）。
【０１５５】
運転者が代行を依頼する場合は表３の  “ＹＥＳ”  をクリックすると、ユーザ車の現在地の位置情報を付加て代行業者受付センター２００へ送信する時期を、飲酒運転防止の依頼をする時期でなく、代行業者受付センター２００へ代行運転の依頼に対する代行運転の承諾の返答を送付する時期に送信する場合は、処理装置１０１はインターネット１００を介してＧＰＳ機能によるユーザ車１０の現在地の東経Ｘおよび北緯Ｙの位置情報を付加して代行業者受付センター２００へ代行運転の依頼に対する代行運転の承諾の返答を送付する（ステップＢ１３）。
【０１５６】
代行業者受付センター２００は代行者ＤＢ２００３を検索し、ユーザ車１０の現在地から最適な代行者３００を抽出し（ステップＢ１４）、代行業者通信ネット４００を介して代行者３００へユーザ車１０の現在地の情報を付加して、運転の代行を指示する（ステップＢ１５）。
【０１５７】
代行者３００は出動しユーザ車１０の駐車現場に急行し、運転を代行して本発明は終了する（ステップＢ９）。
【０１５８】
次に運転者が代行を依頼しない場合で、表３の  “ＮＯ”  をクリックした場合はユーザ車１０は誰も運転しないで本発明は終了する（ステップＢ９）。
【０１５９】
以上の第３の実施の形態の他に、第４の実施の形態として、第３の実施の形態における運転の代行を依頼する条件を法律で決められたアルコール濃度の基準値αのみで判断し、アルコール検出器１０２から送付される運転者のアルコール濃度Ｈを受信して前記法律で決められたアルコール濃度の基準値α以上の場合はエンジン作動防止器１０３を作動させ、本アルコール濃度の基準値α以上の場合の状態で、運転者がエンジンキー１０４を回した場合、直ちに、自動的に運転の代行を依頼する構成とすることもできる。
【０１６０】
この場合は処理装置１０１はエンジンキー１０４を回すエンジン始動回数に関係なく、図７の▲２▼の運転者がエンジンキー１０４によりエンジンを始動し、エンジンキー１０４を回すエンジン始動回数がβ回以上の場合（例えばエンジン始動回数  ≧  β回）の処理の流れを実行することなしに、直ちにインターネット１００を介して代行業者受付センター２００へ飲酒運転防止の依頼を自動的に依頼する（ステップＢ１１）。
【０１６１】
このとき代行業者受付センター２００へ送信される内容は表２の形式の飲酒運転防止の依頼内容のものである。表２の内容は先にユーザが代行業者受付センター２００に加入登録の依頼に使用した表１の形式の飲酒運転防止システムへの加入登録の依頼内容に車の現在地をＧＰＳ機能により検出した現在地の東経Ｘおよび北緯Ｙの位置情報が付加された内容のものである（ここで車の現在地をこの時点の自動的に飲酒運転防止の依頼する時点で付加して送信するか、後に記載する代行運転の依頼時に付加して送信する２つの方法があり、どちらの方法によってもよい）。
【０１６２】
代行業者受付センター２００は該飲酒運転防止の依頼を受信すると表２の▲１▼で示されるユーザの氏名、住所、ＴＥＬ、メールアドレス、車のナンバー、および費用の決済方法からなるユーザ情報をもとにユーザＤＢ２００２を検索し、先に飲酒運転防止システムへの加入登録されたユーザかどうかを判断して登録されていないユーザ（ステップ  ユーザ判断（登録）Ｎｏ）であれば運転の代行はしないで本発明は終了する。
【０１６３】
飲酒運転防止システムへの加入登録されたユーザであれば（ステップ  ユーザ判断（登録）Ｙｅｓ）（表１の▲１▼参照）ユーザ車１０へ，
“貴方の車の代行運転を依頼しますか？”
というメッセージが記載された表３の形式の代行運転の依頼内容を送付する（ステップＢ１２）。
【０１６４】
運転者が代行を依頼する場合は表３の  “ＹＥＳ”  をクリックすると、ユーザ車の現在地の位置情報を付加て代行業者受付センター２００へ送信する時期を、飲酒運転防止の依頼をする時期でなく、代行業者受付センター２００へ代行運転の依頼に対する代行運転の承諾の返答を送付する時期に送信する場合は、処理装置１０１はインターネット１００を介してＧＰＳ機能によるユーザ車１０の現在地の東経Ｘおよび北緯Ｙの位置情報を付加して代行業者受付センター２００へ代行運転の依頼に対する代行運転の承諾の返答を送付する（ステップＢ１３）。
【０１６５】
代行業者受付センター２００は代行者ＤＢ２００３を検索し、ユーザ車１０の現在地から最適な代行者３００を抽出し（ステップＢ１４）、代行業者通信ネット４００を介して代行者端末３０１へユーザ車１０の現在地の情報を付加して、運転の代行を指示する（ステップＢ１５）。
【０１６６】
代行者３００は出動しユーザ車１０の駐車現場に急行し、運転を代行して本発明は終了する（ステップＢ９）。
【０１６７】
次に運転者が代行を依頼しない場合で、表３の  “ＮＯ”  をクリックした場合はユーザ車１０は誰も運転しないで本発明は終了する（ステップＢ９）。
【０１６８】
【発明の効果】
以上説明したように、本発明の飲酒運転防止システムと飲酒運転防止方法およびプログラムは、
第１の効果は、運転者のアルコール濃度の検出を、警察による取り締まり時だけの検挙から常時チェックできることにある。
【０１６９】
その理由は、ユーザ車の中にアルコール検出器を搭載し、常時運転者のアルコール濃度の検出ができるからである。
【０１７０】
第２の効果は、飲酒運転を潰滅可能となる。
【０１７１】
その理由は、運転者のアルコール濃度の基準値以上の濃度を検出した場合はユーザ車の中に搭載したエンジン作動防止器により自動的にエンジンを始動させないからである。
【０１７２】
第３の効果は、運転者が酔い覚め後、別の場所から運転できることである。
【０１７３】
その理由は、運転者のアルコール濃度が法律で決められたアルコール濃度の基準値以上の場合で、運転者がエンジンキーによりエンジンを始動し、エンジンキーを回すエンジン始動回数が予め決められたエンジン始動回数以上の場合、受付センターへ運転の代行を自動的に依頼し、代行業者が別の場所までの代行運転するからである。
【０１７４】
第４の効果は、運転者が過度の泥酔状態であっても代行運転は確実に依頼可能である。
【０１７５】
その理由は、飲酒運転防止システムが予めシステムに設定された飲酒運転条件を検出し、代行運転の依頼処理を自動的に行うからである。
【０１７６】
第５の効果は、人的ミスが発生しない。
【０１７７】
その理由は、コンピュータによる処理であるので早く正確に安全に実施されるからである。
【０１７８】
第６の効果は、時間的な制限がなく、２４Ｈいつでもサービスが受けられる。
【０１７９】
その理由は、飲酒運転防止システムが２４Ｈいつでも稼動しておりいつでも処理されるからである。
【図面の簡単な説明】
【図１】本発明の飲酒運転防止システムと飲酒運転防止方法およびプログラムの第１の一実施の形態を示す構成図である。
【図２】本発明の飲酒運転防止システムと飲酒運転防止方法およびプログラムの一実施の形態のユーザ車の構成を示す構成図である。
【図３】本発明の飲酒運転防止システムと飲酒運転防止方法およびプログラムの第１の一実施の形態の受付センターの構成を示す構成図である。
【図４】本発明の飲酒運転防止システムと飲酒運転防止方法およびプログラムの第１の一実施の形態の動作を示す流れ図である。
【図５】本発明の飲酒運転防止システムと飲酒運転防止方法およびプログラムの第３の一実施の形態を示す構成図である。
【図６】本発明の飲酒運転防止システムと飲酒運転防止方法およびプログラムの第３の一実施の形態の代行業者受付センターの構成を示す構成図である。
【図７】本発明の飲酒運転防止システムと飲酒運転防止方法およびプログラムの第３の一実施の形態の動作を示す流れ図である。
【符号の説明】
１０    ユーザ車
２０    受付センター
３０    代行業者
３１    代行業者端末
１００    インターネット
１０１、２０１、２００１    処理装置
１０２    アルコール検出器
１０３    エンジン作動防止器
１０４    エンジンキー
２０２、２００２    ユーザＤＢ
２０３    代行業者ＤＢ
２００    代行業者受付センター
３００    代行者
３０１    代行者端末
４００    代行業者通信ネット
２００３    代行者ＤＢ
【図１】
2005004588.tif 000006
【図２】
2005004588.tif 000007
【図３】
2005004588.tif 000008
【図４】
2005004588.tif 000009
【図５】
2005004588.tif 000010
【図６】
2005004588.tif 000011
【図７】
2005004588.tif 000012